(57)【要約】【課題】  製造コストを抑えつつ磁気センサの検知精度をより長期に渡って安定して維持することができる着磁パルサリング、及びこれを用いたセンサ付き転がり軸受装置を提供する。【解決手段】  本発明の着磁パルサリング１１は、フランジ部２２を有する環状の支持部材２０と、フランジ部２２の一端面２２ａに固定されている環状磁石１２と、環状磁石１２の被検知面１２ａを覆うカバー部材３０と、カバー部材３０の内周端部３０ａとフランジ部３０との間を密封するシール部材３５とを有している。カバー部材３０は、環状磁石１２に当接している環状の覆部３１と、環状磁石１２外周面及びフランジ部２２の外周面を覆うように覆部３１の外周端部から延び、その内周側に突設された弾性的に拡径可能な突起３３をフランジ部２２の他端面２２ｂ側の端部に当接係合することでカバー部材３０をフランジ部２２に固定している筒状の固定部３２とを有している。【選択図】      図２
2009257410.tif 000002
【特許請求の範囲】
【請求項１】
フランジ部を有する環状の支持部材と、
前記フランジ部の一端面に固定されているとともに、多数の磁極が周方向に所定間隔で配列されその一端面が被検知面とされている環状の永久磁石と、
前記永久磁石の被検知面を覆うカバー部材と、
前記カバー部材の内周端部と前記フランジ部との間を密封する密封手段と、を有し、
前記カバー部材は、
前記永久磁石の被検知面に当接している環状の覆部と、
前記覆部の外周端部から延びて前記永久磁石の外周面及びフランジ部の外周面を覆っているとともに、内周側に突設された弾性的に拡径可能な突起を前記フランジ部の他端面側の端部に当接係合することで当該カバー部材を前記フランジ部に固定している筒状の固定部と、を有していることを特徴とする着磁パルサリング。
【請求項２】
前記固定部は、その端部に固定された弾性材料よりなる環状部材を有し、
前記突起は、前記環状部材に設けられているとともに、前記環状部材の周方向に沿って環状に形成されて前記フランジ部の他端面側の端部全周に渡って当接している請求項１に記載の着磁パルサリング。
【請求項３】
前記密封手段は、前記カバー部材の内周端部に固定され、当該着磁パルサリングが外嵌固定される回転部材の外周面に対して密接する環状のシール部材である請求項１に記載の着磁パルサリング。
【請求項４】
前記密封手段は、前記カバー部材の内周端部と前記フランジ部の内周端部との間に充填したシール剤を硬化させたシール層である請求項１に記載の着磁パルサリング。
【請求項５】
フランジ部を有する環状の支持部材と、
前記フランジ部の一端面に固定されているとともに、多数の磁極が周方向に所定間隔で配列されその一端面が被検知面とされている永久磁石と、
弾性材料により形成されているとともに、前記フランジ部の外周面及び前記永久磁石の外周面を保持している筒状の保持部と、
前記永久磁石の被検知面を覆う環状のカバー部材と、を有し、
前記カバー部材は、
前記永久磁石の被検知面に当接している環状の覆部と、
前記覆部の内周端部から延び、前記支持部材の内周面に内嵌された内筒部と、
前記覆部の外周端部から延び、前記保持部の外周面に外嵌された外筒部と、を有していることを特徴とする着磁パルサリング。
【請求項６】
固定輪及び回転輪と、
これらの間に転動自在に配置された転動体と、
前記回転輪に一体回転可能に固定された着磁パルサリングと、
前記着磁パルサリングの磁気を検出することによって前記回転輪の回転状態を検出する磁気センサと、を備えているセンサ付き転がり軸受装置において、
前記着磁パルサリングは、請求項１又は５に記載の着磁パルサリングであることを特徴するセンサ付き転がり軸受装置。
【発明の詳細な説明】
【技術分野】
【０００１】
本発明は、回転体の回転数などの検出に用いられる着磁パルサリング、及びこの着磁パルサリングを用いたセンサ付き転がり軸受装置に関する。
【背景技術】
【０００２】
自動車などの車輪を支持する転がり軸受装置には、アンチロックブレーキシステム等を制御するために、当該車輪の回転速度を検出するためのセンサ装置が組み込まれたものがある。このようなセンサ付きの転がり軸受装置は、内軸（回転輪）側に固定された着磁パルサリングと、この着磁パルサリングに対向配置される磁気センサとを有しており、前記磁気センサが前記着磁パルサリングによる回転に応じた磁気変化を検知することで車輪の回転速度を検出できるように構成されている。
上記着磁パルサリングは、回転に応じた磁気変化を生じさせるための環状の永久磁石を有しており、この永久磁石を磁気センサに対向させている。永久磁石の被検知面は、磁気センサに磁気を検知させるために、外部に露出した状態とされており、外部で飛散する塵埃等に曝されることによって被検出面に損傷や磨耗が生じるという問題があった。このように、被検出面に損傷等が生じると、その磁気特性に変化が生じ、センサの磁気検知精度を低下させてしまう。
このため、前記被検知面を覆うことで外部環境から永久磁石を保護するカバー部材を備えることで、当該永久磁石に損傷等が生じるのを防止し、長期に渡って磁気センサの検知精度を維持させることができる着磁パルサリングが提案されている（例えば、特許文献１参照）。
【０００３】
【特許文献１】特開２００３−２４０００７号公報
【発明の開示】
【発明が解決しようとする課題】
【０００４】
上記従来例の着磁パルサリングにおいて、カバー部材は、永久磁石の外周面及び当該永久磁石を支持する支持部材の外周面を覆う筒状の周縁片を径方向内側にかしめることで前記支持部材に固定されていた。
このため、上記着磁パルサリングでは、支持部材に固定された永久磁石にカバー部材を取り付けてかしめる必要があり、その製造工程が煩雑であるとともに、カバー部材をかしめるための専用のかしめ設備が必要となり、製造コストが嵩むという問題があった。
また、上記着磁パルサリングのカバー部材は、前記周縁片をかしめるだけなので、このカバー部材と永久磁石との間に水分等が侵入し、例えば、侵入した水分が氷結して膨張した場合には、カバー部材が永久磁石から離間するように変形し、磁気センサと干渉することで当該センサの検知精度を低下させるという問題も有していた。
本発明はこのような事情に鑑みてなされたものであり、製造コストを抑えつつ磁気センサの検知精度をより長期に渡って安定して維持することができる着磁パルサリング、及びこれを用いたセンサ付き転がり軸受装置を提供することを目的とする。
【課題を解決するための手段】
【０００５】
上記目的を達成するための本発明である着磁パルサリングは、フランジ部を有する環状の支持部材と、前記フランジ部の一端面に固定されているとともに、多数の磁極が周方向に所定間隔で配列されその一端面が被検知面とされている環状の永久磁石と、前記永久磁石の被検知面を覆うカバー部材と、前記カバー部材の内周端部と前記フランジ部との間を密封する密封手段と、を有し、前記カバー部材は、前記永久磁石の被検知面に当接している環状の覆部と、前記覆部の外周端部から延びて前記永久磁石の外周面及びフランジ部の外周面を覆っているとともに、内周側に突設された弾性的に拡径可能な突起を前記フランジ部の他端面側の端部に当接係合することで当該カバー部材を前記フランジ部に固定している筒状の固定部と、を有していることを特徴としている。
【０００６】
上記のように構成された着磁パルサリングにおいて、カバー部材をフランジ部に固定するには、突起を弾性的に拡径させつつ固定部を被検出面側から永久磁石及びフランジ部に外嵌する。そして、突起が永久磁石及びフランジ部の外周面を通過すれば、突起は弾性的に復元することでフランジ部の他端面側に当接係合し、カバー部材は、フランジ部に固定される。このように、本発明によれば、上記従来例のようにカバー部材をかしめることなく、前記突起が設けられた固定部によって、当該カバー部材を容易に固定することができるので、製造工程を容易なものとし、かつ専用のかしめ設備も必要としない。この結果、カバー部材によって永久磁石の損傷を防止し磁気センサの検知精度を長期に渡って維持できる着磁パルサリングを低コストで得ることができる。
また、本発明では、カバー部材の内周端部と前記フランジ部との間を密封する密封手段を有しているので、遠心力の作用等によって当該着磁パルサリングの内周側からカバー部材とフランジ部との間に侵入しようとする水分等を遮蔽することができる。これにより、永久磁石の損傷等を防止するためのカバー部材が、侵入した水分の氷結等によって変形し、磁気センサの検知精度を低下させてしまうことを防止できる。
以上のように、本発明の着磁パルサリングによれば、製造コストを抑えつつ磁気センサの検知精度をより長期に渡って安定して維持することができる。
【０００７】
また、前記固定部は、その端部に固定された弾性材料よりなる環状部材を有し、前記突起は、前記環状部材に設けられているとともに、前記環状部材の周方向に沿って環状に形成されて前記フランジ部の他端面側の端部全周に渡って当接していることが好ましい。
この場合、弾性材料よりなる環状部材に設けられた突起は、フランジ部の他端面側の端部全周に渡って当接しているので、フランジ部の外周側とカバー部材の固定部との間を密封することができる。これにより、カバー部材とフランジ部との間に水分が侵入するのをより効果的に防止することができる。
【０００８】
また、上記着磁パルサリングにおいて、前記密封手段は、前記カバー部材の内周端部に固定され、当該着磁パルサリングが外嵌固定される回転部材の外周面に対して密接する環状のシール部材であることが好ましい。
この場合、カバー部材をフランジ部に固定すると同時に、シール部材を回転部材の外周面に嵌めることができ、これにより回転部材とカバー部材との間を密封し、フランジ部とカバー部材の内周端部との間を密封することができる。このため、フランジ部とカバー部材の内周端部との間を容易かつ確実に密封することができる。
【０００９】
前記密封手段は、前記カバー部材の内周端部と前記フランジ部の内周端部との間に充填したシール剤を硬化させたシール層であってもよい。
この場合、カバー部材の内周端部とフランジ部の内周端部との間をより簡易な方法によって密封することができる。
【００１０】
また、本発明は、フランジ部を有する環状の支持部材と、前記フランジ部の一端面に固定されているとともに、多数の磁極が周方向に所定間隔で配列されその一端面が被検知面とされている環状の永久磁石と、弾性材料により形成されているとともに、前記フランジ部の外周面及び前記永久磁石の外周面を保持している筒状の保持部と、前記永久磁石の被検知面を覆う環状のカバー部材と、を有し、前記カバー部材は、前記永久磁石の被検知面に当接している環状の覆部と、前記覆部の内周端部から延び、前記支持部材の内周面に内嵌された内筒部と、前記覆部の外周端部から延び、前記保持部の外周面に外嵌された外筒部と、を有していることを特徴としている。
【００１１】
上記のように構成された着磁パルサリングにおいて、カバー部材の外筒部を、フランジ部に固定され永久磁石を保持した保持部の外周面に外嵌させつつ、内筒部を支持部材の内周面に内嵌させることで、カバー部材を支持部材に固定することができる。このように、本発明によれば、上記従来例のように、カバー部材をかしめることなく、両筒部を支持部材に嵌合させることでカバー部材を固定できるので、製造工程を容易なものとし、かつ専用のかしめ設備も必要としない。この結果、カバー部材によって永久磁石の損傷を防止し磁気センサの検知精度を長期に渡って維持できる着磁パルサリングを低コストで得ることができる。
また、本発明では、カバー部材の内周側と支持部材との間は、嵌合固定されるとともに、カバー部材の外周側と支持部材との間は、弾性材料からなる保持部が介在しているので、カバー部材とフランジ部との間に侵入しようとする水分等を遮蔽することができる。これにより、永久磁石の損傷等を防止するためのカバー部材が、内部に侵入した水分の氷結等によって変形し、磁気センサの検知精度を低下させてしまうことを防止できる。
以上のように、本発明の着磁パルサリングによれば、製造コストを抑えつつ磁気センサの検知精度をより長期に渡って安定して維持することができる。
【００１２】
また本発明は、固定輪及び回転輪と、これらの間に転動自在に配置された転動体と、前記回転輪に一体回転可能に固定された着磁パルサリングと、前記着磁パルサリングの磁気を検出することによって前記回転輪の回転状態を検出する磁気センサと、を備えているセンサ付き転がり軸受装置において、前記着磁パルサリングは、上述の着磁パルサリングであることを特徴としている。
上記のように構成されたセンサ付き転がり軸受装置によれば、上述のように、製造コストを抑えつつ磁気センサの検知精度をより長期に渡って安定して維持することができる。
【発明の効果】
【００１３】
本発明の着磁パルサリング、及びこれを用いたセンサ付き転がり軸受装置によれば、製造コストを抑えつつ磁気センサの検知精度をより長期に渡って安定して維持することができる。
【発明を実施するための最良の形態】
【００１４】
次に、本発明の好ましい実施形態について添付図面を参照しながら説明する。図１は本発明の第一の実施形態に係る着磁パルサリングが適用されたセンサ付き転がり軸受装置の構成を示す断面図である。このセンサ付き転がり軸受装置１は、自動車など車両の駆動輪を懸架装置に対して回転自在に支持するものである。
【００１５】
図１において、センサ付き転がり軸受装置１は、複列のアンギュラ玉軸受を構成しており、図示しない駆動輪が取り付けられるフランジ部２ａを有する内軸２と、内軸２の外周側に同心に配置された外輪３と、内軸２と外輪３の間に介在した転動体としての複数の玉４と、これら玉４を周方向に等配に保持する保持器５と、内軸２及び外輪３の間における環状空間の両端開口を密封する密封装置６，７と、密封装置７に対向するように配置された磁気センサＳとを備えている。
【００１６】
外輪３は、車両側に固定される固定輪であり、外周面には車両の懸架装置に取り付けるための取付フランジ３ａが形成されている。また、その内周面には玉４が転動する複列の外輪軌道３ｂが形成されている。
内軸２は、前記駆動輪が取り付けられる車軸であるとともに、当該センサ付き転がり軸受装置１の回転輪を構成しており、フランジ部２ａが形成された内軸本体８と、この内軸本体８の車両内側（図１中紙面右側）他端に嵌合固定された円環状の内輪部材９とを備えている。
内軸２に形成されたフランジ部２ａには、前記車輪を当該フランジ部２ａに固定するための複数のハブボルト２ａ１が固定されている。また、内軸２の外周面には、複列の外輪軌道３ｂに対向して複列の内輪軌道２ｂが形成されており、複数の玉４は、内輪軌道２ｂ及び外輪軌道３ｂとの間に転動自在に配置されている。
また、内軸２には、軸方向に貫通する貫通孔２ｃが設けられており、この貫通孔２ｃには、前記駆動輪を駆動するためのドライブシャフトＤが挿入されている。ドライブシャフトＤと、内軸２とは、貫通孔２ｃの内周面及びドライブシャフトＤの外周面それぞれに形成されたスプライン溝によってスプライン嵌合されるとともに、当該ドライブシャフトＤの先端に取り付けられたナットｄ１を締め付けることで、一体回転可能に固定されている。
上記構成によって、センサ付き転がり軸受装置１は、内軸２を外輪３に対して回転自在に支持しており、内軸２に固定される駆動輪を回転自在に支持する。
【００１７】
密封装置７は、外輪３の他端部側の内周面３ｃに内嵌固定された円環状の芯金１０と、この芯金１０に対向するように内輪部材９に一体回転可能に固定された円環状の着磁パルサリング１１と、を有している。
【００１８】
芯金１０は、ＳＵＳ４３０，ＳＥＣＣ，ＳＰＣＣ，ＳＰＣＤ，ＳＰＣＥ等の冷延鋼板をプレス加工することによって形成されており、その内周端部には、当該芯金１０と着磁パルサリング１１との間をシールするシールリング１０ａが加硫接着等によって固定されている。
【００１９】
着磁パルサリング１１は、多数の磁極が周方向に所定間隔で配列された永久磁石である環状磁石１２と、環状の支持部材２０と、環状磁石１２を保護するためのカバー部材３０とを備えている。
環状磁石１２は、プラスチック磁石を用いて円環状に形成されており、Ｎ極とＳ極とが周方向に沿って交互に所定間隔で配列されるように着磁されることで、多数の磁極が周方向に所定間隔で配列されている。
支持部材２０は、芯金１０と同様、ＳＵＳ４３０，ＳＥＣＣ，ＳＰＣＣ，ＳＰＣＤ，ＳＰＣＥ等の冷延鋼板をプレス加工することによって円環状に形成された部材であり、内輪部材９の外周面に外嵌固定されることで内軸２に対して一体回転可能に固定されている。また、支持部材２０には、上記環状磁石１２がカバー部材３０によって保護された状態で一体回転可能に固定されている。なお、支持部材２０に対する環状磁石１２及びカバー部材３０の固定の態様については、後に詳述する。
また、支持部材２０の外周面は、シールリング１０ａが摺接するように構成されており、支持部材２０は、密封装置７におけるスリンガとしての機能を兼ね備えている。
【００２０】
磁気センサＳは、カバー部材３０で保護された環状磁石１２の一端面である被検知面１２ａに対して、所定の隙間を置いて対向するように配置されている。このため、内軸２と一体回転する着磁パルサリング１１は、磁気センサＳに対して、内軸２の回転に応じて磁極を変化させることができる。
磁気センサＳは、磁気変化を検知するセンサであり、当該センサ付き転がり軸受装置１が搭載される車両の制御装置に接続されており、検知した磁気変化についての検知信号を前記制御装置に出力するように構成されている。磁気センサＳは、内軸２の回転に応じて変化する着磁パルサリング１１の磁極の変化を検知し、その検知信号を前記車両の制御装置に出力する。前記制御装置は、磁気センサＳの検知信号に基づいて、内軸２の回転速度を認識し、前記車両のアンチロックブレーキシステム等の制御に反映することができる。
【００２１】
次に、支持部材２０に対する環状磁石１２及びカバー部材３０の固定の態様について説明する。
図２は、着磁パルサリング１１のみを拡大して示した断面図である。
図において、支持部材２０は、内輪部材９に外嵌固定された円筒部２１と、この円筒部２１の一端部から径外方向に延びるとともに環状磁石１２が固定されたフランジ部２２とを有している。フランジ部２２には、上述の環状磁石１２及びカバー部材３０が固定されている。
環状磁石１２は、フランジ部２２の外径とほぼ同じ外径で円環状に形成されており、弾性接着剤からなる接着剤層４０を介在した状態でフランジ部２２に重ね合わされるようにして接着固定されている。このとき、環状磁石１２は、その一端面である被検出面１２ａが磁気センサＳ側に向くようにフランジ部２２の一端面２２ａ側に固定されており、上述のように、磁気センサＳに対して、内軸２の回転に応じて磁極を変化させる。
環状磁石１２を構成しているプラスチック磁石としては、フェライト系の磁性粉末や、ネオジウムやサマリウム等の希土類系の磁性粉末を、ポリフェニレンサルファイド（ＰＰＳ）樹脂やポリアミド（ＰＡ）樹脂等の樹脂材料に混合した後、所定の形状に形成したものを用いることができる。
【００２２】
接着剤層４０は、環状磁石１２とフランジ部２２との間に介在しており、両者を接着固定するものであり、ゴム等のエラストマーをベースとした弾性接着剤の硬化物によって形成されている。このため、接着剤層４０は、所定の弾性を有しており、環状磁石１２に作用する変形応力を緩和しつつ環状磁石１２をフランジ部２２に接着固定することができる。
【００２３】
カバー部材３０は、環状磁石１２の被検知面１２ａを覆うことで、外部で飛散する塵埃等から環状磁石１２を保護するものであり、例えば、オーステナイト系ステンレス鋼や、銅合金、アルミニウム合金といった非磁性の金属板をプレス加工することによって円環状に形成された部材である。
図３は、カバー部材３０の一部を示す斜視図である。図２及び図３を参照して、カバー部材３０は、環状磁石１２の被検知面１２ａに当接する環状の覆部３１と、覆部３１の外周端部から延びて環状磁石１２の外周面１２ｃ及びフランジ部２２の外周面２２ｃを覆っているとともに、フランジ部２２に係合することで当該カバー部材３０をフランジ部２２に固定している筒状の固定部３２とを有している。
【００２４】
覆部３１は、被検知面１２ａに当接配置されることで当該被検知面１２ａを覆っており、環状磁石１２を外部環境から保護する。
固定部３２は、その内周側に突出する突起３３が設けられている。この突起３３は、固定部３２の端部近傍を径方向内側に折り曲げることで径方向内側に突出するように形成されており、フランジ部２２の他端面２２ｂ側の外周側端縁に当接している。
固定部３２は、覆部３１が被検知面１２ａに当接した状態で、突起３３をフランジ部２２の他端面２２ｂ側に当接係合させることでカバー部材３０全体をフランジ部２２に固定している。
【００２５】
また、カバー部材３０の固定部３２には、図３に示すように、周方向等間隔に複数の切り欠き部３４が形成されている。この切り欠き部３４は、固定部３２の端縁から覆部３１側に向かって軸方向に沿って固定部３２を切り欠くように形成されており、突起３３を周方向に分割している。
突起３３は、上記複数の切り欠き部３４によって周方向に分割されることで、弾性的に拡径可能とされている。すなわち、固定部３０及び突起３３は、複数の切り欠き部３４によって、突起３３の先端部３３ａにおける内接円の径寸法が拡径するように、弾性変形可能とされている。また突起３３は、後述のように、カバー部材３０をフランジ部２２に固定する際に、環状磁石１２及びフランジ部２２の外周面を通過できる程度に弾性的に拡径できるように構成されている。
【００２６】
また、カバー部材３０の覆部３１における内周端部３０ａには、内輪部材９に密接している環状のシール部材３５が固定されている。このシール部材３５は、ゴム等の弾性材料を用い、インサート成形によって加硫接着することでカバー部材３０に固定した状態で一体に形成されている。シール部材３５の内周先端のリップ部３５ａは、内輪部材９の外周面９ａに対して、摺接可能に密接しており、シール部材３５は、カバー部材３０の内周端部３０ａと、内輪部材９との間を密封している。この結果、シール部材３５は、カバー部材３０の内周端部３０ａと、フランジ部２２との間を密封している。すなわち、シール部材３５は、カバー部材３０の内周端部３０ａと、フランジ部２２との間を密封する密封手段を構成している。
【００２７】
上記構成の着磁パルサリング１１において、カバー部材３０を支持部材２０に固定する場合、弾性接着剤によって環状磁石１２が接着固定されたフランジ部２２に対して、環状磁石１２の被検出面１２ａ側から、カバー部材３０を外嵌する。このとき、カバー部材３０の突起３３は、上述のように弾性的に拡径可能とされているので、突起３３を弾性的に拡径させつつ固定部３２を環状磁石１２及びフランジ部２２に外嵌する。そして、突起３３が環状磁石１２及びフランジ部２２の外周面を通過すれば、突起３３は、弾性的に復元することでフランジ部２２の他端面２２ｂ側に当接係合し、カバー部材３０は、フランジ部２２に固定される。このように、本実施形態の着磁パルサリング１１によれば、上記従来例のようにカバー部材３０をかしめることなく、突起３３が設けられた固定部３２によって、当該カバー部材３０を容易に固定することができるので、製造工程を容易なものとし、かつ専用のかしめ設備も必要としない。この結果、カバー部材３０によって環状磁石１２の損傷を防止し磁気センサＳの検知精度を長期に渡って維持できる着磁パルサリング１１を低コストで得ることができる。
【００２８】
また、本実施形態では、カバー部材３０の内周端部３０ａとフランジ部２２との間を密封するシール部材３５を有しているので、遠心力の作用等によって着磁パルサリング１１の内周側からカバー部材３０とフランジ部２２と間に侵入しようとする水分等を遮蔽することができる。これにより、環状磁石１２の損傷等を防止するためのカバー部材３０が、侵入した水分の氷結等によって変形し、磁気センサＳの検知精度を低下させてしまうことを防止できる。
以上のように、本実施形態の着磁パルサリング１１によれば、製造コストを抑えつつ磁気センサＳの検知精度をより長期に渡って安定して維持することができる。
【００２９】
また、本実施形態では、カバー部材３０の内周端部３０ａとフランジ部２２との間を密封するために、カバー部材３０の内周端部３０ａに、内輪部材９の外周面９ａに対して密接する環状のシール部材３５を固定したので、カバー部材３０をフランジ部２２に固定すると同時に、シール部材３５を内輪部材９の外周面９ａに嵌めることができ、これにより内輪部材９とカバー部材３０との間を密封し、フランジ部２２とカバー部材３０の内周端部３０ａとの間を密封することができる。このため、フランジ部２２とカバー部材３０の内周端部３０ａとの間を容易かつ確実に密封することができる。
【００３０】
さらに、シール部材３５の内周先端のリップ部３５ａは、外周面９ａに対して摺接可能に密接しているので、カバー部材３０を環状磁石１２及びフランジ部２２に外嵌すると同時にシール部材３５を外周面９ａに嵌める場合にも、シール部材３５は、カバー部材３０がフランジ部に外嵌すべく軸方向に移動するのを妨げることはない。
【００３１】
また、本実施形態では、カバー部材３０の内周端部３０ａに固定された環状のシール部材３５によって、カバー部材３０の内周端部３０ａとフランジ部２２との間を密封したが、例えば図４に示すように、カバー部材３０の内周端部３０ａとフランジ部２２一端面２２ａの内周側端部との間を密封する内周側シール層４１を設けることもできる。
この内周側シール層４１は、いわゆるシール剤を硬化させることで形成したものであり、カバー部材３０及びフランジ部２２にシール剤を塗布した後、カバー部材３０をフランジ部２２に外嵌し、カバー部材３０の内周端部３０ａとフランジ部２２の内周端部との間にシール剤を充填し硬化させても良いし、カバー部材３０を外嵌した後にシール剤を充填し、硬化させてもよい。
この場合、カバー部材３０の内周端部３０ａとフランジ部２２の内周端部との間を、シール剤を充填することで形成されるシール層でモールドするといった、より簡易な方法によって密封することができる。さらに、内周側シール層４１の代わりに、シール部材３５を用いてもよい。
また、図４に示すように、固定部３２の内周面３２ａと、フランジ部２２の外周面２２ｃとの間、及び内周面３２ａと、環状磁石１２の外周面１２ｃとの間についても、シール剤を硬化させた外周側シール層４２を形成してもよく、この場合、フランジ部２２の外周端部と、カバー部材３０との間についても密封することができる。これによって、カバー部材３０とフランジ部２２との間に侵入しようとする水分等をより確実に遮蔽することができる。
【００３２】
図５は、本発明の第二の実施形態に係る着磁パルサリング１１の断面図である。本実施形態と第一の実施形態との主な相違点は、突起３３が、固定部３２の端部３２ｂに固定された環状部材３６に設けられている点、及び、固定部３２に切り欠き部３４が形成されていない点である。その他の構成については、第一の実施形態と同様であるので説明を省略する。
【００３３】
固定部３２は、その端部３２ｂに固定された環状部材３６を有しており、突起３３は、環状部材３６に設けられている。カバー部材３０は、この環状部材３６に設けられた突起３３をフランジ部２２の他端面２２ｂ側に当接係合することでフランジ部２２に固定されている。
環状部材３６は、ゴム等の弾性材料を用い、インサート成形によって加硫接着することで固定部３２の端部３２ｂに固定した状態で一体に形成されている。従って、突起３３についても弾性材料によって形成されている。また、この突起３３は、周方向全域に渡って環状に形成されるとともに、固定部３２の端部３２ｂから径方向内側に向かってかつフランジ部２２の他端面２２ｂに向かって斜めに折り返すように突設されることで、その先端部３３ａがフランジ部２２の他端面２２ｂ側の端部全周に渡って当接している。
【００３４】
また、突起３３は、フランジ部２２の他端面２２ｂに向かって斜めに折り返すように突設されているので、カバー部材３０を支持部材２０に固定すべく、環状磁石１２の被検出面１２ａ側から固定部３２をフランジ部２２に外嵌する際には、突起３３は、さらに折り返されて、固定部３２の内周面３２ａに当接するように弾性変形することで弾性的に拡径し、環状磁石１２及びフランジ部２２の外周面を通過することができる。突起３３が環状磁石１２及びフランジ部２２の外周面１２ｃ、２２ｃを通過すれば、突起３３は、弾性的に復元することでフランジ部２２の他端面２２ｂ側に当接係合し、カバー部材３０は、フランジ部２２に固定される。
一方、突起３３の先端部３３ａがフランジ部２２の他端面２２ｂに当接した状態においては、当該突起３３は、フランジ部２２の他端面２２ｂに向かって斜めに折り返すように突設されているので、カバー部材３０に環状磁石１２から離間させる方向への力が作用したとしても弾性的に拡径することはなく、確実にフランジ部２２に対して当接係合する。
【００３５】
本実施形態の着磁パルサリングによれば、弾性材料よりなる環状部材３６に設けられた突起３３は、フランジ部２２の他端面２２ｂ側の端部全周に渡って当接しているので、フランジ部２２の外周側とカバー部材３０の固定部３２との間を密封することができる。これにより、カバー部材３０とフランジ部２２との間に水分が侵入するのをより効果的に防止することができる。
【００３６】
図６は、本発明の第三の実施形態に係る着磁パルサリング１１の断面図である。本実施形態と第一の実施形態との主な相違点は、フランジ部２２の外周面２２ｃ及び環状磁石１２の外周面１２ｃを保持する筒状の保持部５０を有する点、カバー部材３０が保持部５０の外周面５０ａに外嵌された外筒部３７及び支持部材２０の円筒部２１内周面２１ａに内嵌された内筒部３８を有する点、及び、環状磁石１２が保持部５０による保持及びカバー部材３０の覆部３１とフランジ部２２との間で挟持されることでフランジ部２２に対して固定されている点である。
【００３７】
本実施形態において、保持部５０は、ゴム等の弾性材料を用い、インサート成形によって加硫接着することでフランジ部２２に固定した状態で一体に形成されており、フランジ部２２の外周面２２ｃ及び環状磁石１２の外周面１２ｃを保持することで、環状磁石１２がフランジ部２２に対して径方向に相対移動しないように固定している。
また、保持部５０には、その内周面５０ｂから径方向内側に延び、フランジ部２２及び環状磁石１２の間に介在する環状壁５１が形成されており、環状磁石１２は、フランジ部２２との間に環状壁５１を介在した状態で、覆部３１とフランジ部２２との間で挟持固定されている。これにより、環状磁石１２に作用する変形応力を緩和しつつ、環状磁石１２をフランジ部２２に固定できる。
【００３８】
保持部５０の環状磁石１２側の端部には、径方向内側に突出し環状磁石１２の軸方向の移動を規制する第一の止め部５２が形成されており、また、フランジ部２２側の端部には、径方向内側に突出し保持部５０を環状壁５１との間で固定する第二の止め部５３が形成されている。
また、弾性材料からなる保持部５０は、外筒部３７に外嵌されることによって、外筒部３７と支持部材２０との間に介在し、この両者間を密封している。保持部５０の外周面５０ａには、周方向に沿う複数の凸条５０ａ１が形成されており、この複数の凸条５０ａ１の各先端が外筒部３７に当接している。これにより、保持部５０と外筒部３７との間を線接触とすることで面圧を高め、両者間の密封性を高めることができる。
【００３９】
カバー部材３０の外筒部３７は、保持部５０の外周面５０ａに外嵌するように、環状磁石１２の被検出面１２ａに当接している環状の覆部３１の外周端部から延ばされている。
また、内筒部３８は、支持部材２０の円筒部２１内周面２１ａに内嵌するように、覆部３１の内周端部から延ばされている。従って、支持部材２０は、内輪部材９との間に内筒部３８を介在した状態で内輪部材９に外嵌固定されている。
【００４０】
本実施形態において、カバー部材３０の支持部材２０への固定方法は、以下の通りである。すなわち、図７に示すように、フランジ部２２に固定された保持部５０の第一の止め部５２に、環状磁石１２を嵌め込み、その後、カバー部材３０を環状磁石１２の被検出面１２ａ側から環状磁石１２を覆うように被せ、支持部材２０に固定する。
【００４１】
このとき、カバー部材３０の外筒部３７を、フランジ部２２に固定された保持部５０の外周面５０ａに外嵌させつつ、内筒部３８を円筒部２１に内嵌させることで、カバー部材３０を支持部材に固定することができる。このように、本実施形態の着磁パルサリング１１によれば、上記従来例のように、カバー部材３０をかしめることなく、両筒部３７，３８を支持部材２０に嵌合させることで、カバー部材３０を固定できるので、製造工程を容易なものとし、かつ専用のかしめ設備も必要としない。この結果、カバー部材３０によって環状磁石１２の損傷を防止し磁気センサＳの検知精度を長期に渡って維持できる着磁パルサリング１１を低コストで得ることができる。
【００４２】
また、本実施形態では、カバー部材３０の内周側と支持部材２０との間は、円筒部２１と内筒部３８とによって嵌合固定されるとともに、カバー部材３０の外周側と支持部材２０との間は、保持部５０が介在しているので、カバー部材３０とフランジ部２２との間に侵入しようとする水分等を遮蔽することができる。これにより、環状磁石１２の損傷等を防止するためのカバー部材３０が、内部に侵入した水分の氷結等によって変形し、磁気センサＳの検知精度を低下させてしまうことを防止できる。
以上のように、本発明の着磁パルサリング１１によれば、製造コストを抑えつつ磁気センサＳの検知精度をより長期に渡って安定して維持することができる。
【００４３】
なお、本発明は、上記各実施形態に限定されるものではない。上記各実施形態では、環状磁石１２にプラスチック磁石を用いたが、例えば、Ｎｅ−Ｆｅ−Ｂ系焼結磁石等といったような焼結磁石を用いることもできるし、ゴム等からなる弾性部材に上述の磁性粉末を混入したいわゆるゴム磁石をフランジ部２２に加硫接着することで形成固定したものも用いることができる。
【図面の簡単な説明】
【００４４】
【図１】本発明の第一の実施形態に係る着磁パルサリングが適用されたセンサ付き転がり軸受装置の構成を示す断面図である。
【図２】着磁パルサリングのみを拡大して示した断面図である。
【図３】カバー部材の一部を示す斜視図である。
【図４】他の態様の着磁パルサリングの断面図である。
【図５】本発明の第二の実施形態に係る着磁パルサリングの断面図である。
【図６】本発明の第三の実施形態に係る着磁パルサリングの断面図である。
【図７】カバー部材のフランジ部への固定方法を説明するための図である。
【符号の説明】
【００４５】
１      センサ付き転がり軸受装置
２      内軸（回転輪）
３      外輪（固定輪）
４      玉（転動体）
１１    着磁パルサリング
１２    環状磁石（永久磁石）
１２ａ  被検知面
２０    支持部材
２１ａ  内周面
２２    フランジ部
２２ａ  一端面
２２ｂ  他端面
３０    カバー部材
３０ａ  内周端部
３１    覆部
３２    固定部
３３    突起
３５    シール部材
３６    環状部材
３７    外筒部
３８    内筒部
４１    内周側シール層
５０    保持部
５０ａ  外周面
Ｓ      磁気センサ
【図１】
2009257410.tif 000003
【図２】
2009257410.tif 000004
【図３】
2009257410.tif 000005
【図４】
2009257410.tif 000006
【図５】
2009257410.tif 000007
【図６】
2009257410.tif 000008
【図７】
2009257410.tif 000009